(57)【要約】【課題】  バンパフェイシアとの間に面差や隙間の生じないヘッドランプの透明カバーを形成することができる自動車の車体前部構造を提供する。【解決手段】  バンパフェイシア１のうち、ヘッドランプ対応部位７を含むバンパフェイシア上部２を透明部樹脂により形成し、そのバンパフェイシア上部２の表面にヘッドランプ対応部７を残した状態でマスキング塗装（不透明層）９を施し、ヘッドランプ対応部７をヘッドランプ５の透明カバーとして機能させる。バンパフェイシア上部２自体の一部を、ヘッドランプ５の透明カバーとして機能させるため、面差及び隙間が生じる余地がなく、外観性及び空力性の面で優れる。【選択図】        図１
2005082036.tif 000002
【特許請求の範囲】
【請求項１】
自動車の車体前部に取付けられるバンパフェイシア（１）のうち、ヘッドランプ対応部位（７）を含む少なくともバンパフェイシア上部（２）を透明部樹脂により形成すると共に、該バンパフェイシア上部（２）の表面にヘッドランプ対応部（７）を残した状態で不透明層（９）を施し、ヘッドランプ対応部（７）をヘッドランプ（５）の透明カバーとして機能させることを特徴とする自動車の車体前部構造。
【請求項２】
請求項１記載の自動車の車体前部構造であって、
バンパフェイシア上部（２）の表面におけるヘッドランプ対応部（７）を区画する外縁に沿って凹部（７ａ）又は凸部を形成したことを特徴とする自動車の車体前部構造。
【請求項３】
請求項１又は請求項２記載の自動車の車体前部構造であって、
バンパフェイシア上部（２）の下端（２ａ）に、バンパフェイシア下部（３）の上端（３ａ）を結合すると共に、該結合部に沿ってモールディング（６）を取付けたことを特徴とする自動車の車体前部構造。
【請求項４】
請求項１〜３のいずれか１項に記載の自動車の車体前部構造であって、
バンパフェイシア上部（２）の表面に不透明層（９）を施さない導光部（８）を形成し、該導光部（８）にヘッドランプ（５）の光を導入可能にしたことを特徴とする自動車の車体前部構造。
【発明の詳細な説明】
【技術分野】
【０００１】
本発明は、バンパフェイシアに該バンパフェイシアとの間に隙間や面差の生じないヘッドランプの透明カバーを形成できる自動車の車体前部構造に関するものである。
【背景技術】
【０００２】
一般に、自動車のヘッドランプは、透明カバーとハウジングとの間にバルブを収納したランプユニットとして形成される。そして、このランプユニットを、車体前部に取付けられたバンパフェイシアの開口や切欠に合わせて組み付けている。ヘッドランプにおける透明カバーは、走行時の空力性能上、バンパフェイシアの表面との間に面差なく組み付ける必要がある。また、透明カバーとバンパフェイシアとのパーティング部における隙間も、外観上なるべく小さくする必要がある（例えば、特許文献１。）。
【特許文献１】特開２０００−１０３３０４号公報
【発明の開示】
【発明が解決しようとする課題】
【０００３】
しかしながら、このような従来の技術にあっては、別体のランプユニットとして形成されたヘッドランプを、バンパフェイシアの対応部に合わせた状態で取付ける構造のため、ヘッドランプの透明カバーとバンパフェイシアとを面差なく合わせ且つ隙間を極力小さくした状態で組み付ける作業が困難であった。
【０００４】
本発明は、このような従来の技術に着目してなされたものであり、バンパフェイシアとの間に面差や隙間の生じないヘッドランプの透明カバーを形成することができる自動車の車体前部構造を提供するものである。
【課題を解決するための手段】
【０００５】
請求項１記載の発明は、自動車の車体前部に取付けられるバンパフェイシアのうち、ヘッドランプ対応部位を含む少なくともバンパフェイシア上部を透明部樹脂により形成すると共に、該バンパフェイシア上部の表面にヘッドランプ対応部を残した状態で不透明層を施し、ヘッドランプ対応部をヘッドランプの透明カバーとして機能させることを特徴とする。
【０００６】
請求項２記載の発明は、バンパフェイシア上部の表面におけるヘッドランプ対応部を区画する外縁に沿って凹部又は凸部を形成したことを特徴とする。
【０００７】
請求項３記載の発明は、バンパフェイシア上部の下端に、バンパフェイシア下部の上端を結合すると共に、該結合部に沿ってモールディングを取付けたことを特徴とする。
【０００８】
請求項４記載の発明は、バンパフェイシア上部の表面に不透明層を施さない導光部を形成し、該導光部にヘッドランプの光を導入可能にしたことを特徴とする。
【発明の効果】
【０００９】
請求項１記載の発明によれば、バンパフェイシア自体の一部を、ヘッドランプの透明カバーとして機能させるため、面差及び隙間が生じる余地がなく、外観性及び空力性の面で優れる。
【００１０】
請求項２記載の発明によれば、ヘッドランプ対応部を区画する外縁に沿って凹部又は凸部を形成したため、ヘッドランプ対応部との境界部分における不透明層の形成が容易である。
【００１１】
請求項３記載の発明によれば、バンパフェイシア上部とバンパフェイシア下部との結合部を、モールディングにより隠すことができるため、外観性に優れる。
【００１２】
請求項４記載の発明によれば、ヘッドランプと一緒に導光部も発光させることができるため、車体前部における光学的意匠性を向上させることができる。
【発明を実施するための最良の形態】
【００１３】
バンパフェイシアとの間に面差や隙間の生じないヘッドランプの透明カバーを形成するという目的を、自動車の車体前部に取付けられるバンパフェイシアのうち、ヘッドランプ対応部位を含む少なくともバンパフェイシア上部を透明部樹脂により形成すると共に、該バンパフェイシア上部の表面にヘッドランプ対応部を残した状態で不透明層を施し、ヘッドランプ対応部をヘッドランプの透明カバーとして機能させることで、実現した。
【実施例１】
【００１４】
図１乃至図６は、本発明の一実施例を示すもので、図１は、自動車の前部に取付けられるバンパフェイシア１を示している。このバンパフェイシア１は、バンパフェイシア上部２とバンパフェイシア下部３とから構成されている。
【００１５】
バンパフェイシア上部２には、車幅方向中央部にグリル４が一体形成され、車幅方向両端部にはヘッドランプ５がそれぞれ設けられている。バンパフェイシア上部２は、ベースが透明樹脂であるポリカーボネートで一体的に射出形成したものである。バンパフェイシア下部３は不透明なポリプロピレンにより一体的に射出形成したものである。
【００１６】
バンパフェイシア上部２の下端２ａと、バンパフェイシア下部３の上端３ａとは、クリップ又はビスにより重合状態で結合され、その結合部に沿ってモールディング６が接着材又は両面接着テープにより取付けられている。従って、バンパフェイシア上部２とバンパフェイシア下部３との結合部は見えず、見映えが良い。
【００１７】
バンパフェイシア上部２の表面には、ヘッドランプ対応部位７と、グリル４のバー（導光部）８を残して、不透明なマスキング塗装（不透明層）９が施されている。ヘッドランプ対応部位７を区画する表面側の外縁には、図５に示すように、凹部７ａが最初から形成され、この凹部７ａを境界にして前記マスキング塗装９が行われるため、マスキング塗装９を施す作業が容易である。
【００１８】
バンパフェイシア上部２において、マスキング塗装９の無いヘッドランプ対応部位７は、ヘッドランプ５の透明カバーとして機能し、このヘッドランプ対応部位７の裏面に、バルブ１０を内蔵したハウジング１１を取付けることにより、ヘッドランプ５が形成される。従って、ヘッドランプ５の点灯時には、バルブ１０の光を、ヘッドランプ対応部位７から前方へ向けて照射することができる。
【００１９】
バンパフェイシア１の裏面には、ヘッドランプ対応部位７を取り囲んだ状態でフランジ１２が形成され、このフランジ１２にハウジング１１の開口縁に形成された溝部１３がシーラ１４を介して結合されている。
【００２０】
また、グリル４のバー８は断面三角形状で、その端部８ａは斜めに形成されている。バー８の端部８ａ付近に対応するバンパフェイシア上部２の裏面には、光導入端１５（図６参照）が突起状態で形成されている。更に、このバー８の裏面８ｂにはブラスト加工が施されていて、裏面８ｂで光を乱反射することができる。
【００２１】
従って、ヘッドランプ５の点灯時には、バルブ１０の光を光導入端１５からバンパフェイシア上部２の厚さ内部に導き、その光をバー８の斜めの端部８ａで反射してバー８側へ導くため、その光がバー８のブラスト加工された裏面８ｂで乱反射して、バー８全体が発光する。そのため、車体前部における光学的意匠性を向上させることができる。
【００２２】
以上説明したように、この実施例によれば、バンパフェイシア１自体の一部であるヘッドランプ対応部位７を、ヘッドランプ５の透明カバーとして機能させるため、その透明カバーとなるヘッドランプ対応部位７と、バンパフェイシア上部２との間に、面差や隙間が生じる余地がなく、外観性及び空力性の面で優れる。
【産業上の利用可能性】
【００２３】
以上の実施例では、不透明層としてマスキング塗装９を施す例を示したが、不透明なシールを貼着しても良い。また、ヘッドランプ対応部位７の外縁に、不透明層の形成作業を容易にする凹部７ａを形成する例を示したが、凸部を形成しても良い。
【図面の簡単な説明】
【００２４】
【図１】本発明の一実施例に係るバンパフェイシアを示す斜視図。
【図２】図１のバンパフェイシア上部の透明な樹脂部分と不透明なマスキング塗装を別に示した斜視図。
【図３】図１のバンパフェイシアを示す分解斜視図。
【図４】図１中矢示ＳＡ−ＳＡ線に沿う断面図。
【図５】図４中矢示ＤＡ部分の凹部を示す拡大断面図。
【図６】図１中矢示ＳＢ−ＳＢ線に沿う断面図。
【符号の説明】
【００２５】
１  バンパフェイシア
２  バンパフェイシア上部
２ａ  下端
３  バンパフェイシア下部
３ａ  上端
４  グリル
５  ヘッドランプ
６  モールディング
７  ヘッドランプ対応部位
７ａ  凹部
８  バー（導光部）
８ａ  端部
８ｂ  裏面（ブラスト加工）
９  マスキング塗装（不透明層）
１０  バルブ
１１  ハウジング
１２  フランジ
１３  溝部
１４  シーラ
１５  光導入端
【図１】
2005082036.tif 000003
【図２】
2005082036.tif 000004
【図３】
2005082036.tif 000005
【図４】
2005082036.tif 000006
【図５】
2005082036.tif 000007
【図６】
2005082036.tif 000008